(57)【要約】例えばテレビジョン信号受信機のような装置（１００）は、極めて異なる所望のチャネル帯域幅と、変動する隣接チャネルの状態とのために、隣接チャネルのエネルギーを除去する能力を有する。例となる実施形態に従って、装置（１００）は、シンボルレートを有するデジタル信号を供給するデジタル信号供給源（４５）と、複数のシンボル成形フィルタ（５１，５２，５３）とを有する。シンボル成形フィルタ（５１，５２，５３）のうちの選択された１つは、シンボルレートに基づいて、デジタル信号にフィルタをかけ、フィルタ処理されたデジタル信号を生成する。
2007538469.tif 000002
【特許請求の範囲】
【請求項１】
シンボルレートを有するデジタル信号を供給するデジタル信号供給源と、
複数のシンボル成形手段とを有し、
該シンボル成形手段のうちの選択された１つは、前記シンボルレートに基づいて、前記デジタル信号にフィルタをかけ、フィルタ処理したデジタル信号を生成するために使用される、ことを特徴とする装置。
【請求項２】
前記シンボル成形手段のうちの第１のシンボル成形手段は、前記シンボルレートが第１のシンボルレートである場合に、前記デジタル信号にフィルタをかけるために使用され、
前記シンボル成形手段のうちの第２のシンボル成形手段は、前記シンボルレートが第２のシンボルレートである場合に、前記デジタル信号にフィルタをかけるために使用され、
前記シンボル成形手段のうちの第３のシンボル成形手段は、前記シンボルレートが第３のシンボルレートである場合に、前記デジタル信号にフィルタをかけるために使用される、
ことを特徴とする請求項１記載の装置。
【請求項３】
前記第１のシンボルレートは、およそ０．７７２ＭＳｙｍ／Ｓであり、
前記第２のシンボルレートは、およそ１．０２４ＭＳｙｍ／Ｓであり、
前記第３のシンボルレートは、およそ１．５４４ＭＳｙｍ／Ｓである、
ことを特徴とする請求項２記載の装置。
【請求項４】
前記フィルタ処理されたデジタル信号を増幅して、増幅デジタル信号を生成する増幅手段と、
前記増幅デジタル信号に応答してデジタルＡＧＣ信号を生成するデジタルＡＧＣ手段とを更に有し、
前記デジタルＡＧＣ信号は、前記増幅手段へ供給される、ことを特徴とする請求項１記載の装置。
【請求項５】
アナログ信号にフィルタをかけて、前記デジタル信号に対応する所望のチャネルと、好ましくない隣接チャネルの一部とを有するフィルタ処理されたアナログ信号を生成するアナログフィルタリング手段を更に有し、
前記選択されたシンボル成形手段は、前記所望のチャネルを前記好ましくない隣接チャネルから分離する、ことを特徴とする請求項１記載の装置。
【請求項６】
前記フィルタ処理されたデジタル信号を増幅して、増幅デジタル信号を生成する増幅手段と、
復調ロックを得るよう前記増幅デジタル信号を処理する復調手段と、
該復調手段が前記復調ロックを得たかどうかを検出し、該検出に応答して前記選択されたシンボル成形手段が選択されることを引き起こす処理手段とを更に有する請求項１記載の装置。
【請求項７】
シンボルレートを有するデジタル信号を受信するステップと、
複数のシンボル成形フィルタを提供するステップと、
前記シンボルレートに基づいて、前記デジタル信号にフィルタをかけ、フィルタ処理されたデジタル信号を生成するために、前記シンボル成形フィルタのうちの選択された１つを用いるステップとを有する、信号処理を実行するための方法。
【請求項８】
前記シンボルレートが第１のシンボルレートである場合に前記デジタル信号にフィルタをかけるために、前記シンボル成形フィルタのうちの第１のシンボル成形フィルタを用いるステップと、
前記シンボルレートが第２のシンボルレートである場合に前記デジタル信号にフィルタをかけるために、前記シンボル成形フィルタのうちの第２のシンボル成形フィルタを用いるステップと、
前記シンボルレートが第３のシンボルレートである場合に前記デジタル信号にフィルタをかけるために、前記シンボル成形フィルタのうちの第３のシンボル成形フィルタを用いるステップとを更に有する請求項７記載の方法。
【請求項９】
前記第１のシンボルレートは、およそ０．７７２ＭＳｙｍ／Ｓであり、
前記第２のシンボルレートは、およそ１．０２４ＭＳｙｍ／Ｓであり、
前記第３のシンボルレートは、およそ１．５４４ＭＳｙｍ／Ｓである、
ことを特徴とする請求項８記載の方法。
【請求項１０】
前記フィルタ処理されたデジタル信号を増幅して、増幅デジタル信号を生成するステップと、
前記増幅デジタル信号に応答してデジタルＡＧＣ信号を生成するステップとを更に有する請求項７記載の方法。
【請求項１１】
アナログ信号にフィルタをかけて、前記デジタル信号に対応する所望のチャネルと、好ましくない隣接チャネルの一部とを有するフィルタ処理されたアナログ信号を生成するステップを更に有し、
前記選択されたシンボル成形フィルタは、前記所望のチャネルを前記好ましくない隣接チャネルから分離するために使用される、ことを特徴とする請求項７記載の方法。
【請求項１２】
前記フィルタ処理されたデジタル信号を増幅して、増幅デジタル信号を生成するステップと、
復調ロックを得るよう前記増幅デジタル信号を処理するステップと、
前記復調ロックが得られたかどうかを検出するステップと、
前記検出に応答して前記選択されたシンボル成形フィルタを選択するステップとを更に有する請求項７記載の方法。
【請求項１３】
シンボルレートを有するデジタル信号を供給するデジタル信号供給源と、
複数のシンボル成形フィルタとを有し、
該シンボル成形フィルタのうちの選択された１つは、前記シンボルレートに基づいて、前記デジタル信号にフィルタをかけ、フィルタ処理したデジタル信号を生成するために使用される、ことを特徴とするテレビジョン信号受信機。
【請求項１４】
前記シンボル成形フィルタのうちの第１のシンボル成形フィルタは、前記シンボルレートが第１のシンボルレートである場合に、前記デジタル信号にフィルタをかけるために使用され、
前記シンボル成形フィルタのうちの第２のシンボル成形フィルタは、前記シンボルレートが第２のシンボルレートである場合に、前記デジタル信号にフィルタをかけるために使用され、
前記シンボル成形フィルタのうちの第３のシンボル成形フィルタは、前記シンボルレートが第３のシンボルレートである場合に、前記デジタル信号にフィルタをかけるために使用される、
ことを特徴とする請求項１３記載のテレビジョン信号受信機。
【請求項１５】
前記第１のシンボルレートは、およそ０．７７２ＭＳｙｍ／Ｓであり、
前記第２のシンボルレートは、およそ１．０２４ＭＳｙｍ／Ｓであり、
前記第３のシンボルレートは、およそ１．５４４ＭＳｙｍ／Ｓである、
ことを特徴とする請求項１４記載のテレビジョン信号受信機。
【請求項１６】
前記フィルタ処理されたデジタル信号を増幅して、増幅デジタル信号を生成するよう作動する増幅器と、
前記増幅デジタル信号に応答してデジタルＡＧＣ信号を生成するよう作動するデジタルＡＧＣとを更に有し、
前記デジタルＡＧＣ信号は、前記増幅器へ供給される、ことを特徴とする請求項１３記載のテレビジョン信号受信機。
【請求項１７】
アナログ信号にフィルタをかけて、前記デジタル信号に対応する所望のチャネルと、好ましくない隣接チャネルの一部とを有するフィルタ処理されたアナログ信号を生成するよう作動するアナログフィルタを更に有し、
前記選択されたシンボル成形フィルタは、前記所望のチャネルを前記好ましくない隣接チャネルから分離するよう作動する、ことを特徴とする請求項１３記載のテレビジョン信号受信機。
【請求項１８】
前記フィルタ処理されたデジタル信号を増幅して、増幅デジタル信号を生成する作動する増幅器と、
復調ロックを得るように前記増幅デジタル信号を処理するよう作動する復調器と、
該復調器が前記復調ロックを得たかどうかを検出し、該検出に応答して前記選択されたシンボル成形フィルタが選択されることを引き起こす処理装置とを更に有する請求項１３記載のテレビジョン信号受信機。
【発明の詳細な説明】
【技術分野】
【０００１】
本発明は、概して、例えばテレビジョン信号受信機のような機器の信号処理に関し、更に具体的には、極めて異なる所望のチャネルの帯域幅と、変動する隣接チャネルの状態とのために隣接チャネルのエネルギーを除去することができる信号処理を実行するための装置及び方法に関する。
【背景技術】
【０００２】
例えばテレビジョン信号受信機のような装置に関し、所望のチャネルの適切な受信は、好ましくない隣接チャネルの存在によって悪影響を及ぼされうる。この隣接チャネルの問題の一例は、所謂「オープン・ケーブル」規格により確認されうる。具体的には、オープン・ケーブル規格は、ＳＣＴＥ（Ｓｏｃｉｅｔｙ  ｏｆ  Ｃａｂｌｅ  Ｔｅｌｅｃｏｍｍｕｎｉｃａｔｉｏｎｓ  Ｅｎｇｉｎｅｅｒｓ）５５−１及びＳＣＴＥ５５−２規格の、ある物理層の態様を結合するＳＣＴＥ２８規格を参照する。前出の規格は、当業者には周知である。
【０００３】
ＳＣＴＥ５５−１及びＳＣＴＥ５５−２規格を結合することに伴う１つの問題は、（フォワードデータチャネルとしても知られる）帯域外のチャネルの物理層における帯域差に関連する。特に、これらの２つの規格において用いられる高帯域信号と低帯域信号との間には２：１の差が存在する。この帯域差は、ＳＣＴＥ５５−１及びＳＣＴＥ５５−２規格が３つの極めて異なるシンボルレート、即ち、０．７７２ＭＳｙｍ／Ｓ、１．０２４ＭＳｙｍ／Ｓ、及び１．５４４ＭＳｙｍ／Ｓを用いるという事実に大いに起因する。３つのシンボルレートの夫々１つは、異なる帯域を使用し、それによって、信号処理の間に、異なる隣接チャネルの状態を引き起こす。
【０００４】
従来、表面弾性波（ＳＡＷ）フィルタ又は他の高次フィルタは、隣接チャネルのエネルギーを除去するようアナログ−デジタル変換の前に使用される。しかし、隣接チャネルのエネルギーが十分に除去されていない場合には、シンボルタイミング及びキャリア再生並びに均等化における不十分な決定が生じ、それによって、復調誤差が引き起こされる。
【発明の開示】
【発明が解決しようとする課題】
【０００５】
これまで、好ましくない隣接チャネルのエネルギー除去に関する前出の問題は、適切に取り組まれてこなかった。従って、極めて異なる所望のチャネルの帯域幅と、変動する隣接チャネルの状態とのために隣接チャネルのエネルギーを除去することができる装置及び方法が必要とされる。本発明は、これら及び／又は他の問題を扱う。
【課題を解決するための手段】
【０００６】
本発明の態様に従って、変動する隣接チャネルの状態を補償することができる装置が開示される。例となる実施形態に従って、当該装置は、シンボルレートを有するデジタル信号を供給するデジタル信号供給源と、複数のシンボル成形手段とを有する。前記シンボル成形手段のうちの選択された１つは、前記シンボルレートに基づいて、前記デジタル信号にフィルタをかけ、フィルタ処理したデジタル信号を生成するために使用される。
【０００７】
本発明の他の態様に従って、信号処理を実行するための方法が開示される。例となる実施形態に従って、当該方法は、シンボルレートを有するデジタル信号を受信するステップと、複数のシンボル成形フィルタを提供するステップと、前記シンボルレートに基づいて、前記デジタル信号にフィルタをかけ、フィルタ処理されたデジタル信号を生成するために、前記シンボル成形フィルタのうちの選択された１つを用いるステップとを有する。
【０００８】
本発明の更なる他の態様に従って、テレビジョン信号受信機が開示される。例となる実施形態に従って、当該テレビジョン信号受信機は、シンボルレートを有するデジタル信号を供給するデジタル信号供給源と、複数のシンボル成形フィルタとを有する。前記シンボル成形フィルタのうちの選択された１つは、前記シンボルレートに基づいて、前記デジタル信号にフィルタをかけ、フィルタ処理したデジタル信号を生成するために使用される。
【発明を実施するための最良の形態】
【０００９】
添付の図面に関連して例として挙げられた本発明の実施形態に関する以下の記述を参照することにより、本発明の前出及び他の特徴及び利点、並びにそれらを達成する方法は、更に明らかとなり、本発明は、より良く理解されるであろう。
【００１０】
ここに提示された例示は、本発明の好ましい実施形態を表しており、このような例示は、如何なる方法でも本発明の適用範囲を限定するように解釈されるべきではない。
【００１１】
以下、図面、更に具体的には、図１を参照すると、本発明の例となる実施形態に従う装置１００のブロック図が示されている。図１に示されているように、装置１００は、例えば信号受信素子１０のような信号受信手段と、例えばチューナ１５のような同調手段と、例えばＳＡＷフィルタ２０のようなフィルタリング手段と、例えば増幅器２５のような第１の増幅手段と、例えば、アナログ−デジタル変換器（ＡＤＣ）３０のようなアナログ−デジタル変換手段と、例えば二乗平均平方根（ＲＭＳ）／電力検出器３５のような第１の電力検出手段と、例えばループフィルタ４０のような第１のループフィルタリング手段と、例えば追加アルゴリズムブロック４５のような第１のアルゴリズム手段と、例えば選択可能なシンボル成形フィルタブロック５０のような選択可能なシンボル成形フィルタリング手段と、例えば増幅器５５のような第２の増幅手段と、例えばＲＭＳ／電力検出器６０のような第２の電力検出手段と、例えばループフィルタ６５のような第２のループフィルタリング手段と、例えば処理装置７０のような処理手段と、例えばマルチプレクサ７５のような多重化手段と、例えば追加アルゴリズムブロック８０のような第２のアルゴリズム手段とを有する。図１の前出の要素の多くは、集積回路（ＩＣ）を用いて具現化され、幾つかの要素は、例えば、１又はそれ以上のＩＣに含まれても良い。説明の明瞭さのために、例えば、特定の制御信号、電力信号、クロック信号及び／又は他の要素のような、装置１００に関連する特定の従来要素は、図１には示されていなくても良い。例となる実施形態に従って、装置１００は、テレビジョン信号受信機として具現化されているが、他の形式の装置又は機器として具現化されても良い。
【００１２】
信号受信素子１０は、例えば、ケーブル、地上波、衛星、インターネット及び／又は他の信号供給源のような、１又はそれ以上の信号供給源からＲＦ信号を受信するよう作動する。例となる実施形態に従って、信号受信素子１０は、アンテナとして具現化されているが、例えば、入力端子及び／又は他の素子のような、如何なる形式の信号受信素子として具現化されても良い。
【００１３】
チューナ１５は、信号同調機能を実行するよう作動する。例となる実施形態に従って、チューナ１５は、信号受信素子１０からＲＦ信号を受信し、次に、ＲＦ信号にフィルタをかけ、低い周波数に変換して（即ち、単一又は複数の段階のダウンコンバージョン）、ＩＦ信号を生成することによって信号同調機能を実行する。ＲＦ信号及びＩＦ信号は、音声、映像及び／又はデータコンテンツを有しており、アナログ変調方式（例えば、ＮＴＳＣ、ＰＡＬ、ＳＥＣＡＭ、など）及び／又はデジタル変調方式（例えば、ＡＴＳＣ、ＱＡＭ、など）から成っても良い。
【００１４】
ＳＡＷフィルタ２０は、チューナ１５から供給されたＩＦ信号にフィルタをかけて、フィルタ処理されたＩＦ信号を生成するよう作動する。例となる実施形態に従って、ＳＡＷフィルタ２０は、フィルタ処理されたＩＦ信号を生成するよう、チューナ１５から供給されたＩＦ信号から好ましくない隣接チャネルのエネルギーの相当な部分を除去する、１又はそれ以上の個別のＳＡＷフィルタを有する。
【００１５】
増幅器２５は、ＳＡＷフィルタ２０から供給されたフィルタ処理されたＩＦ信号を増幅して、増幅ＩＦ信号を生成するよう作動する。例となる実施形態に従って、増幅器２５は、また、アナログＡＧＣ機能を有効にするループフィルタ４０からのアナログＡＧＣ信号を受信する。
【００１６】
ＡＤＣ３０は、アナログ−デジタル変換機能を実行するよう作動する。例となる実施形態に従って、ＡＤＣ３０は、増幅器２５から供給された増幅ＩＦ信号をアナログ形式からデジタル形式へと変換して、デジタルＩＦ信号を生成する。この例となる実施形態に従って、ＡＤＣ３０によって生成されたデジタルＩＦ信号は、１０ビットのデジタル信号である。しかし、用いられるビットの数は、設計上の選択の問題として選択されても良い。
【００１７】
ＲＭＳ／電力検出器３５は、ＡＤＣ３０から出力されたデジタルＩＦ信号のＲＭＳ電力レベルを検出し、デジタルＩＦ信号の電力レベルの誤差推定を表す出力信号を供給するよう作動する。ループフィルタ４０は、ＲＭＳ／電力検出器３５から供給された出力信号にフィルタをかけて、アナログＡＧＣ信号を生成する。アナログＡＧＣ信号は、アナログＡＧＣ機能を有効にするよう増幅器２５へ供給される。
【００１８】
追加アルゴリズムブロック４５は、周波数ダウンコンバージョン機能を含む機能を実行するよう作動する。例となる実施形態に従って、追加アルゴリズムブロック４５は、ＡＤＣ３０から供給されたデジタルＩＦ信号をＩＦ周波数からベースバンド周波数近くへとダウンコンバートする。
【００１９】
選択可能なシンボル成形フィルタブロック５０は、追加アルゴリズムブロック４５から供給されたデジタル信号にフィルタをかけて、フィルタ処理されたデジタル信号を生成するよう作動する。例となる実施形態に従って、選択可能なシンボル成形フィルタブロック５０は、各々特定のシンボルレートに対応する複数の個別シンボル成形フィルタを有する。この例となる実施形態に従って、シンボル成形フィルタブロック５０は、およそ０．７７２ＭＳｙｍ／Ｓ、１．０２４ＭＳｙｍ／Ｓ及び１．５４４ＭＳｙｍ／Ｓのシンボルレートに夫々の適合するよう設計された３つの個別のシンボル成形フィルタを有する。しかし、シンボル成形フィルタブロック５０に含まれるシンボル成形フィルタの実際の数は、設計上の選択の問題であっても良い。上述されたように、前出のシンボルレートの夫々は、異なる帯域幅を使用し、それによって、信号処理の間に、異なる隣接チャネルの状態を引き起こす。従って、異なるシンボルレートに適応することにより、選択可能なシンボル成形フィルタブロック５０は、様々な異なる隣接チャネルの状態を補償することができる。選択可能なシンボル成形フィルタブロック５０に関して、図２を参照して後で更に詳細に説明する。
【００２０】
増幅器５５は、選択可能なシンボル成形フィルタブロック５０から供給されたフィルタ処理されたデジタル信号を増幅して、増幅デジタル信号を生成するよう作動する。例となる実施形態に従って、増幅器５５は、また、デジタルＡＧＣ機能を有効にするマルチプレクサ７５からのデジタルＡＧＣ信号を受信する。
【００２１】
ＲＭＳ／電力検出器６０は、増幅器５５から出力された増幅デジタル信号のＲＭＳ電力レベルを検出し、増幅デジタル信号の電力レベルの誤差推定を表す出力信号を供給するよう作動する。ループフィルタ６５は、ＲＭＳ／電力検出器３５から供給された出力信号にフィルタをかけて、デジタルＡＧＣ信号を生成する。デジタルＡＧＣ信号は、マルチプレクサ７５へ供給される。
【００２２】
処理装置７０は、様々な信号処理機能を実行するよう作動する。例となる実施形態に従って、処理装置７０は、増幅器５５から供給された増幅デジタル信号の電力レベルの誤差推定を表すＲＭＳ／電力検出器６０からの出力信号を受信し、マルチプレクサ７５へ供給される他のデジタルＡＧＣ信号を生成する。処理装置７０は、また、マルチプレクサ７５にループフィルタ６５によって生成されたデジタルＡＧＣ信号又は処理装置７０によって生成されたデジタルＡＧＣ信号のいずれか一方を出力させる制御信号を生成する。この例となる実施形態に従って、ループフィルタ６５によって生成されたデジタルＡＧＣ信号は、概して、それが処理装置７０によって検出される処理誤差を生じさせない限り、デフォルトとして使用される。このような誤差の場合に、処理装置７０によって生成されたデジタルＡＧＣ信号が代わりに使用されても良い。
【００２３】
また、例となる実施形態に従って、処理装置７０は、選択可能なシンボル成形フィルタブロック５０及び復調器８０の動作を制御するよう作動する。例となる実施形態に従って、処理装置７０は、装置１００がユーザによってオンとされたことに応答して、復調器８０へ制御信号を供給する。この制御信号は、復調器８０のシンボルタイミングループが特定のシンボルレートに関して設定されることを引き起こす。その場合に、処理装置７０は、また、選択可能なシンボル成形フィルタブロック５０へ制御信号を供給して、特定のシンボルレートに対応するその個別のシンボル成形フィルタのうちの１つを選択する。復調器８０のシンボルタイミングループが特定のシンボルレートに関して設定され、対応するシンボル成形フィルタが選択された後に、復調器８０は、受信信号が特定のシンボルレートを使用する場合に、所定の時間期間内に受信信号において復調ロックを得ることができるべきである。受信信号が特定のシンボルレートを使用しない場合には、復調器８０は、復調ロックを得ることができない。後者の場合に、復調器８０は、復調ロックが得られないことを示す処理装置７０への制御信号を供給する。復調器８０からのこの制御信号に応答して、処理装置７０は、次に、次のシンボルレートに関して復調器８０のシンボルタイミングループを調整し、次のシンボルレートに関して選択可能なシンボル成形フィルタブロック５０の他の個別のシンボル成形フィルタを選択するよう、復調器８０及び選択可能なシンボル成形フィルタブロック５０の夫々へ制御信号を供給する。この処理は、復調器８０が受信信号において復調ロックを得るまで繰り返される。本発明のこれらの態様に関しては、後で更に詳細に説明する。
【００２４】
マルチプレクサ７５は、上述したように、処理装置７０によって供給された制御信号に応答して、ループフィルタ６５によって生成されたデジタルＡＧＣ信号又は処理装置７０によって生成されたデジタルＡＧＣ信号のいずれか一方を選択的に出力するよう作動する。
【００２５】
復調器８０は、信号復調機能を実行するよう作動する。例となる実施形態に従って、復調器８０は、シンボルタイミング回復、キャリア再生、及び均等化を含む復調機能を実行することによって、増幅器５５から供給される増幅デジタル信号を処理する。望ましくは、復調器８０は、およそ０．７７２ＭＳｙｍ／Ｓ、１．０２４ＭＳｙｍ／Ｓ及び１．５４４ＭＳｙｍ／Ｓのシンボルレートを含め、様々な異なるシンボルレートの信号を復調することができる。ここで望ましく示されるように、復調器８０は、特定のシンボルレートに関して復調器８０のシンボルタイミングループを設定する処理装置７０からの制御信号に応答して、特定のシンボルレートに関して復調機能を実行する。更に、復調器８０は、復調ロックが特定のシンボルレートに関して得られたかどうかを示す処理装置７０への制御信号を供給する。復調器８０が所定の時間期間内で特定のシンボルレートに関して復調ロックを得ることができない場合には、復調器８０は、処理装置７０からの制御信号に応答して、他のシンボルレートに関してそのシンボルタイミングループを調整する。復調ロックが得られると、復調器８０は、更なる処理及び出力のために復調出力信号を供給する。
【００２６】
図２を参照すると、本発明の例となる実施形態に従う図１の選択可能なシンボル成形フィルタブロック５０の更なる詳細を提供するブロック図が示されている。図２に示されているように、選択可能なシンボル成形フィルタブロック５０は、例えば第１のシンボル成形フィルタ５１のような第１のシンボル成形手段と、例えば第２のシンボル成形フィルタ５２のような第２のシンボル成形手段と、例えば第３のシンボル成形フィルタ５３のような第３のシンボル成形手段と、例えばマルチプレクサ５４のような多重化手段とを有する。図２の前出の要素は、ＩＣを用いて具現化されても良く、幾つかの要素は、例えば、１又はそれ以上のＩＣに含まれても良い。説明の明瞭さのために、例えば、特定の制御信号、電力信号、クロック信号及び／又は他の要素のような、選択可能なシンボル成形フィルタブロック５０に関連する特定の従来の要素は、図２に示されなくても良い。
【００２７】
第１のシンボル成形フィルタ５１は、第１のシンボル成形機能を実行して、第１のフィルタ処理されたデジタル信号を生成するよう作動する。例となる実施形態に従って、第１のシンボル成形フィルタ５１は、例えば０．７７２ＭＳｙｍ／Ｓといった、第１のシンボルレートに適応するよう設計される。図３は、本発明の例となる実施形態に従って、０．７７２ＭＳｙｍ／Ｓの信号に対する隣接チャネルの状態を表すグラフ３００である。図３において、０．７７２ＭＳｙｍ／Ｓの信号は、ピクチャ・キャリア及びサウンド・キャリアを有する好ましくない隣接チャネルの存在下で、受信されるべき所望のチャネルを表すとする。図３で示されるように、図１のＳＡＷフィルタ２０は、所望の０．７７２ＭＳｙｍ／Ｓの信号と、好ましくない隣接チャネルのサウンド・キャリアの一部とを通す。例となる実施形態に従って、第１のシンボル成形フィルタ５１は、図３に示されるような所望の０．７７２ＭＳｙｍ／Ｓの信号に実質的に対応する通過帯域を提供する。このように、第１のシンボル成形フィルタ５１は、０．７７２ＭＳｙｍ／Ｓの所望のチャネルを好ましくない隣接チャネルから分離することができる。
【００２８】
第２のシンボル成形フィルタ５２は、第２のシンボル成形機能を実行して、第２のフィルタ処理されたデジタル信号を生成するよう作動する。例となる実施形態に従って、第２のシンボル成形フィルタ５２は、例えば１．０２４ＭＳｙｍ／Ｓといった、第２のシンボルレートに適応するよう設計される。図４は、本発明の例となる実施形態に従って、１．０２４ＭＳｙｍ／Ｓの信号に対する隣接チャネルの状態を表すグラフ４００である。図４において、１．０２４ＭＳｙｍ／Ｓの信号は、ピクチャ・キャリア及びサウンド・キャリアを有する好ましくない隣接チャネルの存在下で、受信されるべき所望のチャネルを表すとする。図４で示されるように、図１のＳＡＷフィルタ２０は、所望の１．０２４ＭＳｙｍ／Ｓの信号と、好ましくない隣接チャネルのサウンド・キャリアの一部とを通す。例となる実施形態に従って、第２のシンボル成形フィルタ５２は、図４に示されるような所望の１．０２４ＭＳｙｍ／Ｓの信号に実質的に対応する通過帯域を提供する。このように、第２のシンボル成形フィルタ５２は、１．０２４ＭＳｙｍ／Ｓの所望のチャネルを好ましくない隣接チャネルから分離することができる。
【００２９】
第３のシンボル成形フィルタ５３は、第３のシンボル成形機能を実行して、第３のフィルタ処理されたデジタル信号を生成するよう作動する。例となる実施形態に従って、第３のシンボル成形フィルタ５３は、例えば１．５４４ＭＳｙｍ／Ｓといった、第３のシンボルレートに適応するよう設計される。図５は、本発明の例となる実施形態に従って、１．５４４ＭＳｙｍ／Ｓの信号に対する隣接チャネルの状態を表すグラフ５００である。図５において、１．５４４ＭＳｙｍ／Ｓの信号は、ピクチャ・キャリア及びサウンド・キャリアを有する好ましくない隣接チャネルの存在下で、受信されるべき所望のチャネルを表すとする。図５で示されるように、図１のＳＡＷフィルタ２０は、所望の１．５４４ＭＳｙｍ／Ｓの信号と、好ましくない隣接チャネルのサウンド・キャリアの一部とを通す。例となる実施形態に従って、第３のシンボル成形フィルタ５３は、図５に示されるような所望の１．５４４ＭＳｙｍ／Ｓの信号に実質的に対応する通過帯域を提供する。このように、第３のシンボル成形フィルタ５３は、１．５４４ＭＳｙｍ／Ｓの所望のチャネルを好ましくない隣接チャネルから分離することができる。
【００３０】
マルチプレクサ５４は、第１のシンボル成形フィルタ５１、第２のシンボル成形フィルタ５２及び第３のシンボル成形フィルタ５３から供給されたフィルタ処理されたデジタル信号のうちの１つを選択的に出力するよう作動する。例となる実施形態に従って、処理装置７０からの制御信号は、マルチプレクサ５４に、第１のシンボル成形フィルタ５１によって生成された第１のフィルタ処理されたデジタル信号、第２のシンボル成形フィルタ５２によって生成された第２のフィルタ処理されたデジタル信号、又は第３のシンボル成形フィルタ５３によって生成された第３のフィルタ処理されたデジタル信号のいずれか１つを出力させる。
【００３１】
図２の第１のシンボル成形フィルタ５１、第２のシンボル成形フィルタ５２及び第３のシンボル成形フィルタ５３の高選択性を前提として、ひとまとめに図１のＳＡＷフィルタ２０を除去すること、又は、ＳＡＷフィルタ２０を、更なる隣接チャネルのエネルギーを通す、より簡単で安価なフィルタ（例えば、複同調フィルタなど）と交換することが可能である。この費用節約を達成するよう、図１のＡＤＣ３０が、更なる分解能を提供することを必要とされても良く、且つ／あるいは、第１のシンボル成形フィルタ５１、第２のシンボル成形フィルタ５２及び第３のシンボル成形フィルタ５３に供給されるタップ数が、好ましくない帯域阻止を改善するよう増大しても良い。
【００３２】
本発明のより良い理解を容易にするよう、以下、一例を提供する。図６を参照すると、本発明の例となる実施形態に従うステップを表すフローチャート６００が示されている。例示及び説明の目的のために、図６のステップは、上述された装置１００の要素を参照して記述される。図６のステップは、単なる例であって、如何なる方法でも本発明を限定するよう意図されない。
【００３３】
ステップ６１０で、処理フローが開始する。例となる実施形態に従って、処理フローは、装置１００がユーザによってオンとされたことに応答してステップ６１０で開始しうる。ステップ６２０で、復調器８０のシンボルタイミングループは、特定のシンボルレートに関して設定される。例となる実施形態に従って、処理装置７０は、復調器８０のシンボルタイミングループが特定のシンボルレートに関して設定されることを引き起こす復調器８０への制御信号を供給する。例えば、装置１００が最初にオンとされた後に、処理装置７０は、復調器８０のシンボルタイミングループが１．５４４ＭＳｙｍ／Ｓのシンボルレートに関して設定されることを引き起こしても良い。
【００３４】
ステップ６３０で、選択可能なシンボル成形フィルタブロック５０のシンボル成形フィルタのうちの１つが選択される。例となる実施形態に従って、処理装置７０は、選択可能なシンボル成形フィルタブロック５０へ制御信号を供給して、復調器８０のシンボルタイミングループがステップ６２０で設定されるところの特定のシンボルレートに対する設定に対応する個別のシンボル成形フィルタ（即ち、図２の第１のシンボル成形フィルタ５１、第２のシンボル成形フィルタ５２又は第３のシンボル成形フィルタ５３）を選択する。具体的には、ステップ６３０で処理装置７０から供給される制御信号は、選択可能なシンボル成形フィルタブロック５０のマルチプレクサ５４に、選択されたシンボル成形フィルタによって生成されたフィルタ処理されたデジタル信号を出力させる。
【００３５】
ステップ６４０で、復調ロックが所定の時間期間内に得られたかどうかが、処理装置７０によって決定される。例となる実施形態に従って、復調器８０は、復調ロックがステップ６４０で得られたかどうかを示す処理装置７０への制御信号を供給する。
【００３６】
ステップ６４０での決定が肯定である場合には、処理フローは、処理が終了し、復調器８０が、更なる処理及び出力のために、適切に復調された信号を供給することができるところのステップ６５０へ進む。代替的に、ステップ６４０での決定が否定である場合には、処理フローは、復調器８０のシンボルタイミングループが他のシンボルレートに関して設定されるところのステップ６２０へと戻る。このように、ステップ６２０から６４０は、復調ロックが得られるまで繰り返し実行されうる。シンボルレートが図６のステップで復調ロックに対して試されるところの順序は、設計上の選択の問題として選択されて良い。例えば、シンボルレートは、最高から最低へ、逆もまた同様に、又は如何なる所定の順序で順序づけられても良い。
【００３７】
更に留意すべきは、本発明は、選択可能なシンボル成形フィルタブロック５０のシンボル成形フィルタ５１、５２及び５３の個別の１つが応用回路設計者によって選択されるように実施されても良い点である。このように、装置１００は、１つの所与のシンボルレートの信号に適応するよう設計されうるが、複数のシンボルレートの信号に適応するようプログラム可能な能力を有しても良い。
【００３８】
ここで記述されているように、本発明は、極めて異なる所望のチャネルの帯域幅と、変動する隣接チャネルの状態とのために、隣接チャネルのエネルギーを除去することができる信号処理を実行するための装置及び方法を提供する。本発明は、表示装置が内蔵されているか否かに関わらず、様々な装置に適用されうる。従って、ここで使用されるフレーズ「テレビジョン信号受信機」は、内蔵された表示装置を有するテレビ受像機、コンピュータ又はモニタと、例えばセットトップボックス、ビデオ・カセット・レコーダ（ＶＣＲ）、デジタル・バーサトル・ディスク（ＤＶＤ）プレーヤ、ビデオゲーム機、パーソナル・ビデオ・レコーダ（ＰＶＲ）、内蔵された表示装置を有さないコンピュータ若しくは他の装置のようなシステム又は装置とを含む。だが、それらだけには限定されないシステム又は装置に言及しても良い。
【００３９】
本発明は好ましい設計を有するように説明されてきたが、本発明は、本開示の精神及び適用範囲の範囲内であれば更に変更可能である。従って、本願は、その原則による本発明の如何なる変形物、使用又は改良も対象とする。更に、本願は、本発明が属する当該技術分野における既知又は従来の慣例の範囲内にあって、且つ、添付の特許請求の範囲の範囲内にある本開示からのそのような逸脱をも対象とする。
【００４０】
本願は、２００４年５月１８日付けで米国特許商標局に出願され、整理番号６０／５７２，１７１を付与された仮出願に対する優先権と、当該出願より得られる全ての利点とを請求するものである。
【図面の簡単な説明】
【００４１】
【図１】本発明の例となる実施形態に従う装置のブロック図である。
【図２】本発明の例となる実施形態に従う図１の選択可能なシンボル成形フィルタに関する更に詳細なブロック図である。
【図３】本発明の例となる実施形態に従う第１のシンボルレートを有する信号に対する隣接チャネルの状態を表すグラフである。
【図４】本発明の例となる実施形態に従う第２のシンボルレートを有する信号に対する隣接チャネルの状態を表すグラフである。
【図５】本発明の例となる実施形態に従う第３のシンボルレートを有する信号に対する隣接チャネルの状態を表すグラフである。
【図６】本発明の例となる実施形態に従うステップを表すフローチャートである。
【図１】
2007538469.tif 000003
【図２】
2007538469.tif 000004
【図３】
2007538469.tif 000005
【図４】
2007538469.tif 000006
【図５】
2007538469.tif 000007
【図６】
2007538469.tif 000008
【国際調査報告】
2007538469.tif 000009
2007538469.tif 000010
2007538469.tif 000011